(57)【要約】【課題】本発明は、他の機器の電源を確保しつつノイズを低減して良好に複数の通信機器による電力線搬送通信（ＰＬＣ）が可能である電力搬送通信用配線器具を提供する。【解決手段】本発明の電力線搬送通信用配線器具Ａ１は、電源プラグ４ａをコンセントに差込接続することで建物の電力線と接続され、ＰＬＣを行うための配線器具であって、結合回路６、送受信部７及びモデム８を備えるＰＬＣのためのＰＬＣモデム、通信機器とを接続する通信ケーブルが挿抜自在に挿着される複数のコネクタ、電源ケーブル４を介して電力線に接続される複数対の刃受け２、２、ＰＬＣモデムのコモンモードノイズを遮断するコモンモードチョークコイル１２及びＰＬＣの通信帯域を遮断するフィルタ回路１３を備え、コモンモードチョークコイル１２は、電源ケーブル４とＰＬＣモデムとの間に介設され、フィルタ回路１３は、電源ケーブル４と複数対の刃受け２、２との間に介設される。【選択図】図２
2008072346.tif 000002
【特許請求の範囲】
【請求項１】
先端に付設された電源プラグをコンセントに差込接続することで建物に配線された電力線と接続される電源ケーブルと、
前記電源ケーブルが内部に引き込まれるハウジングと、
前記ハウジング内に収納され、前記電源ケーブルに接続された前記電力線を介して電力線搬送通信の通信信号を変復調する電力線搬送通信用モデムと、
前記ハウジング内に収納されると共に前記電源ケーブルと前記電力線搬送通信用モデムとの間に介設され、前記電力線搬送通信用モデムのコモンモードノイズを遮断するためのコモンモードチョークコイルと、
前記ハウジング内に収納され、前記電力線搬送通信用モデムと通信機器とのインタフェースを行う通信インタフェースと、
前記ハウジングの表面に設けられ、前記通信機器と前記通信インタフェースとを接続する通信ケーブルが挿抜自在に挿着される複数のコネクタと、
前記ハウジング内に収納され、互いに並列に接続されており前記電源ケーブルを介して前記電力線に接続される複数対の刃受けと、
前記ハウジング内に収納されると共に前記電源ケーブルと前記複数対の刃受けとの間に介設され、前記電力線搬送通信の通信帯域を遮断するためのフィルタ回路とを備え、
他の機器の電源プラグの栓刃を挿入して前記刃受けに接続するための複数対の栓刃挿入口がハウジングの表面に設けられたこと
を特徴とする電力線搬送通信用配線器具。
【請求項２】
前記フィルタ回路は、コモンモードノイズ及びノーマルモードノイズを遮断すること
を特徴とする請求項１に記載の電力線搬送通信用配線器具。
【発明の詳細な説明】
【技術分野】
【０００１】
本発明は、オフィスや住宅等の建物に配線された電力線を利用してデータ通信を行うための電力線搬送通信用配線器具に関する。
【背景技術】
【０００２】
近年、オフィスや住宅においても複数台のコンピュータをつないだローカル・エリア・ネットワーク（Local Area Network、以下、「ＬＡＮ」と略記する。）が急速に普及している。このようなＬＡＮにおいてコンピュータ間を接続する通信媒体として、通常、通信ケーブル（いわゆるＬＡＮケーブル）が用いられるが、既設のオフィスや住宅に新たにＬＡＮを導入する場合には、配線工事の手間や費用を考慮して電波による無線方式が採用される場合もある（例えば、特許文献１参照）。
【特許文献１】特開２００５−７９９７７号公報
【発明の開示】
【発明が解決しようとする課題】
【０００３】
ところで、従来より給電用の配線（電力線）を利用してデータ通信を行う電力線通搬送信（Powre Line Communication、以下、「ＰＬＣ」と略記する。）が提案されているが、かかるＰＬＣには、商用周波数の電力波形に商用周波数よりも高い周波数のＰＬＣの通信信号を重畳して送信すると共にこの電力波形からこの高い周波数のＰＬＣの通信信号を分離して受信する装置（ＰＬＣモデム）が必要であり、このようなＰＬＣモデムは、電源コードを介して壁面に設けられたコンセントに接続されるとともに通信ケーブルを介してコンピュータ等の通信機器に接続される。しかしながら、ＰＬＣモデムがコンセントを占有してしまうと、コンピュータや他の機器がコンセントを利用できなくなるため、その電源の供給を受けることが困難になってしまう。また、複数の通信機器を接続する場合には、別途にハブ等の集線装置が必要である。
【０００４】
また、電力線は、５０Ｈｚや６０Ｈｚの商用周波数の電流が流れることを前提に設計されているため、高い周波数であるＰＬＣの通信信号が流れるとＰＬＣの通信信号が輻射して輻射ノイズを発生し、他の機器に影響を与えてしまう。特に、近年、インターネット等の高速通信に対応可能とすること等を目的として法規制の緩和が検討されており、従来、ＰＬＣで使用可能な１０ｋＨｚ〜４５０Ｈｚの周波数帯に加えて、より高周波数の２ＭＨｚ〜３０ＭＨｚの周波数帯の使用が検討されている。２ＭＨｚ〜３０ＭＨｚの周波数帯の通信信号を用いてＰＬＣを行う高速ＰＬＣでは、１０ｋＨｚ〜４５０ｋＨｚの周波数帯の通信信号を用いてＰＬＣを行う低速ＰＬＣよりもＰＬＣの通信信号による電力線からの輻射が増大する。
【０００５】
また、逆に、コンセントを介して電力線に接続された機器や電力線の付近に配置された機器等の他の機器に起因したノイズが電力線に乗る場合があり、このようなノイズに対する対策も必要である。
【０００６】
本発明は、上記事情に鑑みてなされたものであり、他の機器の電源を確保しつつノイズを低減して良好に複数の通信機器によるＰＬＣが可能である電力搬送通信用配線器具を提供することを目的とする。
【課題を解決するための手段】
【０００７】
本発明者は、種々検討した結果、上記目的は、以下の本発明により達成されることを見出した。即ち、本発明の一態様にかかる電力線搬送通信用配線器具は、先端に付設された電源プラグをコンセントに差込接続することで建物に配線された電力線と接続される電源ケーブルと、前記電源ケーブルが内部に引き込まれるハウジングと、前記ハウジング内に収納され、前記電源ケーブルに接続された前記電力線を介して電力線搬送通信の通信信号を変復調する電力線搬送通信用モデムと、前記ハウジング内に収納されると共に前記電源ケーブルと前記電力線搬送通信用モデムとの間に介設され、前記電力線搬送通信用モデムのコモンモードノイズを遮断するためのコモンモードチョークコイルと、前記ハウジング内に収納され、前記電力線搬送通信用モデムと通信機器とのインタフェースを行う通信インタフェースと、前記ハウジングの表面に設けられ、前記通信機器と前記通信インタフェースとを接続する通信ケーブルが挿抜自在に挿着される複数のコネクタと、前記ハウジング内に収納され、互いに並列に接続されており前記電源ケーブルを介して前記電力線に接続される複数対の刃受けと、前記ハウジング内に収納されると共に前記電源ケーブルと前記複数対の刃受けとの間に介設され、前記電力線搬送通信の通信帯域を遮断するためのフィルタ回路とを備え、他の機器の電源プラグの栓刃を挿入して前記刃受けに接続するための複数対の栓刃挿入口がハウジングの表面に設けられたことを特徴とする。
【０００８】
この構成によれば、複数対の刃受けを備えるため複数対の刃受けを介して他の機器に給電することができ、複数のコネクタを備えるため複数の通信機器と通信することができ、コモンモードチョークコイルを備えるため電力線搬送通信用モデムで生じたコモンモードノイズが電源ケーブルや電力線へ流出することが抑制されて輻射ノイズが低減され、また、フィルタ回路を備えるため他の機器が一対の刃受けを介して接続された場合に当該他の機器で生じたノイズが当該一対の刃受けを介して電力線搬送用通信モデムへ流入することが抑制される。このため、他の機器の電源を確保しつつノイズを低減して良好に複数の通信機器によるＰＬＣが可能となる。
【０００９】
そして、上述の電力線搬送通信用配線器具において、前記フィルタ回路は、コモンモードノイズ及びノーマルモードノイズを遮断することを特徴とする。
【００１０】
この構成によれば、フィルタ回路がコモンモードノイズ及びノーマルモードノイズを遮断するので、他の機器が一対の刃受けを介して接続された場合に当該他の機器で生じたコモンモードノイズ及びノーマルモードノイズが当該一対の刃受けを介して電力線搬送用通信モデムへ流入することが抑制される。
【発明の効果】
【００１１】
本発明の電力線搬送通信用配線器具では、他の機器の電源を確保しつつノイズを低減して良好に複数の通信機器によるＰＬＣが可能となる。
【発明を実施するための最良の形態】
【００１２】
以下、本発明に係る実施形態を図面に基づいて説明する。なお、各図において同一の符号を付した構成は、同一の構成であることを示し、その説明を省略する。
（第１の実施形態）
図１は、第１の実施形態における電力線搬送通信用配線器具の外観構成を示す図である。図１（Ａ）は、上面図を示し、図１（Ｂ）は、正面図を示し、図１（Ｃ）は、下面図を示す。図２は、第１の実施形態における電力線搬送通信用配線器具の回路構成を示す回路ブロック図である。図３は、第１の実施形態における電力線搬送通信用配線器具を施工面に磁着した状態を示す斜視図である。
【００１３】
第１の実施形態の電力線搬送通信用配線器具Ａ１は、図１に示すように先端に付設された電源プラグ４ａをコンセントに差込接続することで建物に配線された電力線と接続される電源ケーブル４と、略箱形に形成され電源ケーブル４が内部に引き込まれるハウジング１とを備える。なお、以下の説明では、図１（Ｂ）を基準として上下左右の向きを規定し、紙面に垂直な方向を前後方向と規定する。
【００１４】
ハウジング１は、扁平な略箱形の合成樹脂成型品からなり、左側面から電源ケーブル４が引き込まれると共に、図１（Ｃ）に示すように、下面には、通信ケーブル（例えばＣＡＴ５のＬＡＮケーブルやＣＡＴ６のＬＡＮケーブル等）の先端に付設されているコネクタ（例えばＲＪ−４５のモジュラプラグ）が挿抜自在に接続される複数（図１に示す例では８個）の受け側コネクタ（上記例ではＲＪ−４５のモジュラジャック）３の差込口３ａが一列に並んで露出している。また、図１（Ａ）に示すように、ハウジング１の上面には、他の機器の電源プラグの栓刃が挿入される複数対（図１に示す例では４対）の栓刃挿入口２ａ、２ａが列設され、ハウジング１内には、栓刃挿入口２ａに挿入された栓刃を受ける複数対（図１に示す例では４対）の刃受け２、２が収納されている。さらに、ハウジング１前面下部には、複数の表示素子（例えば発光ダイオード）ＬＤが露出している。
【００１５】
またハウジング１の背面における左右両端部には、それぞれ永久磁石１４、１４が露設されている。従って、図３に示すようにスチール製のデスクＤの側板等に永久磁石１４、１４を磁着することでハウジング１を施工面（デスクＤの側面）に固定することができる。
【００１６】
図２において、電源ケーブル４を介して電力線に接続される一対の電路に、互いに並列に接続された複数対の刃受け２、２（図２に示す例では４対）が接続されるとともに、結合回路６が接続され、さらに電源部５が接続されている。
【００１７】
結合回路６は、商用電源周波数成分をカットするコンデンサＣ１、Ｃ２及び絶縁トランスＴを備え、絶縁トランスＴの１次側がコンデンサＣ１、Ｃ２を介して上記一対の電路に接続され、絶縁トランスＴの２次側が送受信部７に接続されている。
【００１８】
送受信部７は、絶縁トランスＴの２次側に接続されることで、電力線との間でＰＬＣの通信信号を送受信する回路であり、モデム８と接続されている。送受信部７は、受信回路７ａと送信回路７ｂとを備えて構成され、受信回路７ａは、例えば、絶縁トランスＴの２次側に接続され、ＰＬＣの通信周波数帯域を透過するバンドパスフィルタと、バンドパスフィルタの出力を増幅してモデム８へ出力する増幅器とを備えて構成され、送信回路７ｂは、例えば、モデム８に接続され、ＰＬＣの通信周波数帯域を透過するバンドパスフィルタと、バンドパスフィルタの出力を増幅して絶縁トランスＴの２次側へ出力する増幅器とを備えて構成される。
【００１９】
モデム８は、送受信部７からのＰＬＣの通信信号Ｒｘからデータ信号を復調すると共に送信データをＰＬＣの通信信号Ｔｘに変調する復調する回路であり、制御回路１０に接続されている。
【００２０】
このような結合回路６、送受信部７及びモデム８を少なくとも備えて電力線搬送通信用モデムが構成され、商用周波数の電力波形に商用周波数よりも高い周波数のＰＬＣの通信信号が重畳されて送信されると共に、この電力波形からこの高い周波数のＰＬＣの通信信号が分離されて受信される。
【００２１】
また、ハウジング１には、各モジュラジャック３に接続される通信ケーブルを介して通信機器との間で例えば１００ＢＡＳＥ−ＴＸなどの規格に準拠してデータ伝送を行うためのＬＡＮコントローラ９が収納されており、ＬＡＮコントローラ９は、制御回路１０に接続されている。
【００２２】
制御回路１０は、例えば、マイクロプロセッサ及びその周辺回路を備えて構成され、ＰＬＣを行うために、送受信部７、モデム８及びＬＡＮコントローラ９等を制御する回路である。制御回路１０は、例えばモデム８とＬＡＮコントローラ９との間で授受するデータ（パケット）のフィルタリング等のセキュリティ機能や、データ伝送中であることを知らせるために表示回路１１を制御して表示回路１１が有する複数の表示素子ＬＤを発光させる機能等を有している。
【００２３】
電源部５は、電源プラグ４ａをコンセントに差込接続することで接続される電力線から電源ケーブル４を介して給電される商用交流電源から直流電源を生成し、例えば、送受信部７、モデム８、ＬＡＮコントローラ９、制御回路１０及び表示回路１１等の各回路へ、これら各回路を動作させるために、直流電力を供給する回路である。電源部５は、例えば、ＰＬＣの通信周波数帯域に対して高インピーダンスになるインピーダンスアッパ回路５ａと、ＡＣ−ＤＣコンバータからなる電源回路５ｂとを備えて構成される。
【００２４】
そして、注目すべきは、好適に高速ＰＬＣに対応するために、電源ケーブル４と上記電力線搬送通信用モデム（少なくとも結合回路６、送受信部７及びモデム８を含む。以下同じ）との間にこの電力線搬送通信用モデムのコモンモードノイズを遮断するためのコモンモードチョークコイル１２が介設されていることである。より具体的には、電源ケーブル４と結合回路６との間にコモンモードチョークコイル１２が介設されている。また、注目すべきは、好適に高速ＰＬＣに対応するために、電源ケーブル４と互いに並列に接続された複数対の刃受け２、２との間に、ＰＬＣの通信帯域を遮断するためのフィルタ回路１３が介設されていることである。
【００２５】
これら複数対の刃受け２、２、電源部５、電力線搬送通信用モデム（結合回路６、送受信部７、モデム８）、ＬＡＮコントローラ９、制御回路１０、表示回路１１、コモンモードチョークコイル１２及びフィルタ回路１３は、ハウジング１内に収納されている。
【００２６】
而して、第１の実施形態の電力線搬送通信用配線器具Ａ１は、ＬＡＮコントローラ９に対して並列接続された複数のモジュラジャック３を具備することで集線装置（ハブ）としても機能するため、複数のモジュラジャック３に接続される通信ケーブルを介してコンピュータ等の複数の通信機器によりＰＬＣを行うことができ、しかも、ハウジング１上面に設けられた栓刃挿入口２ａ、２ａにコンピュータ等の機器の電源プラグの栓刃を挿入すれば、ハウジング１内の一対の刃受け２、２並びに電源ケーブル４を介して当該機器に給電することが可能である。また、上記電力線搬送通信用モデムで生じたコモンモードノイズは、コモンモードチョークコイルによって電源ケーブルや電力線へ流出することが抑制されて輻射ノイズが低減される。特に、高速ＰＬＣに対して効果的である。そして、他の機器が一対の刃受け２、２を介して接続された場合に当該他の機器で生じたノイズが当該一対の刃受け２、２を介して上記電力線搬送用通信モデムへ流入することが抑制される。特に、高速ＰＬＣに対して効果的である。このため、本実施形態の電力線搬送通信用配線器具Ａ１は、他の機器の電源を確保しつつノイズを低減して良好に複数の通信機器によるＰＬＣが可能となる。特に、高速ＰＬＣの場合に良好にＰＬＣが可能となる。
【００２７】
次に、別の実施形態について説明する。
（第２の実施形態）
図４は、第２の実施形態における電力線搬送通信用配線器具の外観構成を示す図である。図２（Ａ）は、上面図を示し、図２（Ｂ）は、正面図を示し、図２（Ｃ）は、下面図を示す。図５は、第２の実施形態における電力線搬送通信用配線器具の回路構成を示す回路ブロック図である。
【００２８】
第２の実施形態の電力線通信用配線器具Ａ２の基本構成は、第１の実施形態の電力線通信用配線器具Ａ１とほぼ共通であるから、共通の構成要素には同一の符号を付して説明を省略する。また、施工面（デスクＤの側面）に固定した様子をも示す電力線搬送通信用配線器具Ａ２の斜視図は、図３と略同様であるので、図示を省略する。
【００２９】
第２の実施形態は、上記電力線搬送通信モデムと通信機器とのインタフェースとして、第１の実施形態における１００ＢＡＳＥ−ＴＸの代わりにＵＳＢ（Universal Serial Bus）を用いる点に特徴がある。
【００３０】
図４に示すようにハウジング１の下面（図４（Ｃ）参照）には、モジュラジャック３の差込口３ａの代わりに、通信ケーブル（本実施形態ではＵＳＢケーブル）の先端に付設されているＵＳＢコネクタの差込側（以下、「ＵＳＢプラグ」と呼ぶ。）が挿抜自在に接続される複数（図４に示す例では８個）のＵＳＢコネクタの受け側（以下、「ＵＳＢジャック」と呼ぶ）１５の差込口１５ａが露出している。また、図５に示すようにＵＳＢジャック１５に接続される通信ケーブル（ＵＳＢケーブル）を介して通信機器との間でＵＳＢの規格に準拠してデータ伝送を行うためのＵＳＢコントローラ１６がＬＡＮコントローラ９の代わりに設けてある。
【００３１】
而して、第２の実施形態の電力線搬送通信用配線器具Ａ２は、第１の実施形態の電力線搬送通信用配線器具Ａ１の作用効果に加えて、第２の実施形態の電力線搬送通信用配線器具Ａ２のＵＳＢジャック１５とパーソナルコンピュータのＵＳＢジャックをＵＳＢケーブルで接続すれば、パーソナルコンピュータ同士でＵＳＢケーブルを介してＰＬＣを行うことができる。
【００３２】
次に、別の実施形態について説明する。
（第３の実施形態）
図６は、第３の実施形態における電力線搬送通信用配線器具の外観構成を示す斜視図である。図７は、第３の実施形態における電力線搬送通信用配線器具の回路構成を示す回路ブロック図である。
【００３３】
第３の実施形態の電力線搬送通信用配線器具Ａ３は、第１の実施形態の電力線搬送通信用配線器具Ａ１にテレビコンセントをさらに備えた点に特徴がある。以下、第１の実施形態の電力線搬送通信用配線器具Ａ１と共通の構成要素には同一の符号を付して説明を省略する。
【００３４】
第３の実施形態の電力線搬送通信用配線器具Ａ３は、図６に示すように、略箱形に形成され、電源ケーブル４及び同軸ケーブル２２が内部に引き込まれるハウジング１’を備える。同軸ケーブル２２は、テレビの受信信号を伝送するためのケーブルであり、先端にプラグ（例えばＦ型接栓プラグ）２２ａが付設されている。
【００３５】
ハウジング１’は、扁平な略箱形の合成樹脂成型品からなり、右側面から電源ケーブル４及び同軸ケーブル２２がそれぞれ引き込まれると共に、上面右側には、通信ケーブルの先端に付設されているコネクタが挿抜自在に接続される複数（図６に示す例では３個）の受け側コネクタ３の差込口３ａが一列に並んで露出し、上面左側には、他の機器の電源プラグの栓刃が挿入される複数対（図６に示す例では３対）の栓刃挿入口２ａ、２ａが列設され、上面中央には、他の同軸ケーブルの先端に付設されているプラグ（例えばＦ型接栓プラグ）が挿抜自在に接続される複数（図６に示す例では３個）の受け側コネクタ（例えばＦ型接栓コネクタ）２１の差込口２１ａが一列に並んで露出している。そして、ハウジング１内には、栓刃挿入口２ａ、２ａに挿入された栓刃を受ける複数対（図６に示す例では３対）の刃受け２、２が収納されている。さらに、ハウジング１の上側面（図６には図示されていない）には、表示素子（例えば発光ダイオード）ＬＤが露出している。
【００３６】
図７において、同軸ケーブル２２に接続される一対の電路に並列に複数の受け側コネクタ２１が接続されている。これらプラグ２２ａの付設された同軸ケーブル２２及び複数の受け側コネクタ２１を備えてテレビコンセントが構成される。複数対の刃受け２、２、複数個のモジュラージャック３、電源ケーブル４、電源部５、結合回路６、送受信部７、モデム８、ＬＡＮコントローラ９、表示回路１１、コモンモードチョークコイル１２及びフィルタ回路１３の回路構成は、第１の実施形態と共通であるから詳しい説明は、省略する。
【００３７】
而して、第３の実施形態の電力線搬送通信用配線器具Ａ３は、第１の実施形態の電力線搬送通信用配線器具Ａ１の作用効果に加えて、テレビの受信信号を分配（分岐を含む）することができる。
【００３８】
なお、第３の実施形態において、電力線搬送通信用配線器具Ａ３は、分配した各受信信号をそれぞれ増幅する複数の増幅器をさらに備えてブースタ機能をさらに備えてもよい。
【００３９】
そして、第１乃至第３の実施形態において、電力線搬送通信用配線器具Ａ１〜Ａ３は、電源ケーブル４から上記電力線搬送通信用モデムへの給電をオンオフするための第１スイッチ（不図示）をさらに備えて構成されてもよい。例えば、この第１スイッチは、電源ケーブル４とフィルタ回路１３との間を除いた電源ケーブル４とコモンモードチョークコイル１２との間に設けられる。このように構成されることによって、電力線搬送通信用配線器具Ａ１〜Ａ３は、テーブルタップとしての機能を維持しつつ、上記電力線搬送通信用モデムの使用を予定していない場合にこの第１スイッチをオフ状態とすることで上記電力線搬送通信用モデムの待機電力をゼロにすることができる。
【００４０】
また、第１乃至第３の実施形態において、電力線搬送通信用配線器具Ａ１〜Ａ３は、複数対の刃受け２、２がフィルタ回路１３を介して上記電力線搬送通信用モデムに接続されるかフィルタ回路１３を介せず上記電力線搬送通信用モデムに接続されるかを切り換える第２スイッチ（不図示）をさらに備えて構成されてもよい。例えば、この第２スイッチは、フィルタ回路１３に並列に接続されて設けられ、互いに並列に接続されている複数対の刃受け２、２がフィルタ回路１３を迂回して、コモンモードチョク１２の電源ケーブル４側で、電源ケーブル４を介して電力線に接続される一対の電路に接続される。このように構成されることによって、電力線搬送通信用配線器具Ａ１〜Ａ３は、一対の刃受け２、２に通信機器が接続された場合に、複数対の刃受け２、２がフィルタ回路１３を介せず上記電力線搬送通信用モデムに接続されるように第２スイッチを切り換えることで、当該通信機器とＰＬＣが可能となる。もちろん、このような一対の刃受け２、２に接続される通信機器は、ＰＬＣモデムを備えている。
【００４１】
さらに、第１乃至第３の実施形態において、電力線搬送通信用配線器具Ａ１〜Ａ３は、上記第２スイッチが複数対の刃受け２、２ごとに設けられて構成されてもよい。例えば、これら複数の第２スイッチは、フィルタ回路１３に並列に接続されるように、複数対の刃受け２、２のそれぞれに対応して設けられる。各第２スイッチは、当該第２スイッチに対応する一対の刃受け２、２がフィルタ回路１３を迂回して、コモンモードチョク１２の電源ケーブル４側で、電源ケーブル４を介して電力線に接続される一対の電路に接続されている。このように構成されることによって、電力線搬送通信用配線器具Ａ１〜Ａ３は、一対の刃受け２ごとに当該一対の刃受け２がフィルタ回路１３を介して上記電力線搬送通信用モデムに接続されるかフィルタ回路１３を介せず上記電力線搬送通信用モデムに接続されるかを切り換えることができる。このため、このような構成の電力線搬送通信用配線器具Ａ１〜Ａ３は、一対の刃受け２に通信機器が接続された場合に、当該一対の刃受け２がフィルタ回路１３を介せず上記電力線搬送通信用モデムに接続されるように当該一対の刃受け２に対応する第２スイッチを切り換えることで、当該通信機器とＰＬＣが可能となる。さらに、他の一対の刃受け２に機器が接続された場合に、当該他の一対の刃受け２がフィルタ回路１３を介して上記電力線搬送通信用モデムに接続されるように当該他の一対の刃受け２に対応する第２スイッチを切り換えることで、当該機器で生じたノイズが当該他の一対の刃受け２を介して上記電力線搬送用通信モデムへ流入することが抑制可能となる。
【００４２】
そして、第１乃至第３の実施形態において、フィルタ回路１３は、コモンモードノイズ及びノーマルモードノイズを遮断するように構成されてもよい。例えば、フィルタ回路１３は、コモンモードノイズを遮断するためのコモンモードチョークコイルと、ＰＬＣの周波数帯域を遮断するためのフィルタ回路とが直列に接続されて構成される。このように構成されることによって、電力線通信用配線器具Ａ１〜Ａ３は、フィルタ回路１３がコモンモードノイズ及びノーマルモードノイズを遮断するので、他の機器が一対の刃受け２、２を介して接続された場合に当該他の機器で生じたコモンモードノイズ及びノーマルモードノイズが当該一対の刃受け２、２を介して上記電力線搬送用通信モデムへ流入することが抑制される。
【００４３】
本発明を表現するために、上述において図面を参照しながら実施形態を通して本発明を適切且つ十分に説明したが、当業者であれば上述の実施形態を変更及び/又は改良することは容易に為し得ることであると認識すべきである。従って、当業者が実施する変更形態又は改良形態が、請求の範囲に記載された請求項の権利範囲を離脱するレベルのものでない限り、当該変更形態又は当該改良形態は、当該請求項の権利範囲に包括されると解釈される。
【図面の簡単な説明】
【００４４】
【図１】第１の実施形態における電力線搬送通信用配線器具の外観構成を示す図である。
【図２】第１の実施形態における電力線搬送通信用配線器具の回路構成を示す回路ブロック図である。
【図３】第１の実施形態における電力線搬送通信用配線器具を施工面に磁着した状態を示す斜視図である。
【図４】第２の実施形態における電力線搬送通信用配線器具の外観構成を示す図である。
【図５】第２の実施形態における電力線搬送通信用配線器具の回路構成を示す回路ブロック図である。
【図６】第３の実施形態における電力線搬送通信用配線器具の外観構成を示す斜視図である。
【図７】第３の実施形態における電力線搬送通信用配線器具の回路構成を示す回路ブロック図である。
【符号の説明】
【００４５】
１、１’  ハウジング
２  刃受け
２ａ  栓刃挿入口
３  モジュラジャック
３ａ  差込口
４  電源ケーブル
５  電源部
６  結合回路
７  送受信部
８  モデム
９  ＬＡＮコントローラ
１０  制御回路
２１  受け側コネクタ
２２  同軸ケーブル
【図１】
2008072346.tif 000003
【図２】
2008072346.tif 000004
【図３】
2008072346.tif 000005
【図４】
2008072346.tif 000006
【図５】
2008072346.tif 000007
【図６】
2008072346.tif 000008
【図７】
2008072346.tif 000009
【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
先端に付設された電源プラグをコンセントに差込接続することで建物に配線された電力線と接続される電源ケーブルと、
前記電源ケーブルが内部に引き込まれるハウジングと、
前記ハウジング内に収納され、前記電源ケーブルを介して前記電力線に接続される一対の電路と、
前記ハウジング内に収納されると共に前記一対の電路に接続されるコモンモードチョークコイルと、
前記ハウジング内に収納され、前記一対の電路に前記コモンモードチョークコイルを介して接続される、前記電力線を介して電力線搬送通信の通信信号を変復調する電力線搬送通信用モデムと、
前記ハウジング内に収納され、前記電力線搬送通信用モデムと通信機器とのインタフェースを行う通信インタフェースと、
前記ハウジングの表面に設けられ、前記通信機器と前記通信インタフェースとを接続する通信ケーブルが挿抜自在に挿着される複数のコネクタと、
前記ハウジング内に収納されると共に前記一対の電路に接続され、前記電力線搬送通信の通信帯域を遮断するためのフィルタ回路と、
前記ハウジング内に収納されると共に前記一対の電路に前記フィルタ回路を介して接続される、互いに並列に接続された複数対の刃受けとを備え、
前記コモンモードチョークコイルは、前記電力線搬送通信用モデムのコモンモードノイズを遮断し、
他の機器の電源プラグの栓刃を挿入して前記刃受けに接続するための複数対の栓刃挿入口がハウジングの表面に設けられたこと
を特徴とする電力線搬送通信用配線器具。
【請求項２】
前記フィルタ回路は、コモンモードノイズ及びノーマルモードノイズを遮断すること
を特徴とする請求項１に記載の電力線搬送通信用配線器具。
【請求項３】
前記電力線搬送通信は、２ＭＨｚ〜３０ＭＨｚの周波数帯の通信信号を用いて通信を行う高速電力線搬送通信であること
を特徴とする請求項１又は請求項２に記載の電力線搬送通信用配線器具。
【手続補正２】
【補正対象書類名】明細書
【補正対象項目名】全文
【補正方法】変更
【補正の内容】
【発明の詳細な説明】
【技術分野】
【０００１】
本発明は、オフィスや住宅等の建物に配線された電力線を利用してデータ通信を行うための電力線搬送通信用配線器具に関する。
【背景技術】
【０００２】
近年、オフィスや住宅においても複数台のコンピュータをつないだローカル・エリア・ネットワーク（Local Area Network、以下、「ＬＡＮ」と略記する。）が急速に普及している。このようなＬＡＮにおいてコンピュータ間を接続する通信媒体として、通常、通信ケーブル（いわゆるＬＡＮケーブル）が用いられるが、既設のオフィスや住宅に新たにＬＡＮを導入する場合には、配線工事の手間や費用を考慮して電波による無線方式が採用される場合もある（例えば、特許文献１参照）。
【特許文献１】特開２００５−７９９７７号公報
【発明の開示】
【発明が解決しようとする課題】
【０００３】
ところで、従来より給電用の配線（電力線）を利用してデータ通信を行う電力線通搬送信（Power Line Communication、以下、「ＰＬＣ」と略記する。）が提案されているが、かかるＰＬＣには、商用周波数の電力波形に商用周波数よりも高い周波数のＰＬＣの通信信号を重畳して送信すると共にこの電力波形からこの高い周波数のＰＬＣの通信信号を分離して受信する装置（ＰＬＣモデム）が必要であり、このようなＰＬＣモデムは、電源コードを介して壁面に設けられたコンセントに接続されるとともに通信ケーブルを介してコンピュータ等の通信機器に接続される。しかしながら、ＰＬＣモデムがコンセントを占有してしまうと、コンピュータや他の機器がコンセントを利用できなくなるため、その電源の供給を受けることが困難になってしまう。また、複数の通信機器を接続する場合には、別途にハブ等の集線装置が必要である。
【０００４】
また、電力線は、５０Ｈｚや６０Ｈｚの商用周波数の電流が流れることを前提に設計されているため、高い周波数であるＰＬＣの通信信号が流れるとＰＬＣの通信信号が輻射して輻射ノイズを発生し、他の機器に影響を与えてしまう。特に、近年、インターネット等の高速通信に対応可能とすること等を目的として法規制の緩和が検討されており、従来、ＰＬＣで使用可能な１０ｋＨｚ〜４５０Ｈｚの周波数帯に加えて、より高周波数の２ＭＨｚ〜３０ＭＨｚの周波数帯の使用が検討されている。２ＭＨｚ〜３０ＭＨｚの周波数帯の通信信号を用いてＰＬＣを行う高速ＰＬＣでは、１０ｋＨｚ〜４５０ｋＨｚの周波数帯の通信信号を用いてＰＬＣを行う低速ＰＬＣよりもＰＬＣの通信信号による電力線からの輻射が増大する。
【０００５】
また、逆に、コンセントを介して電力線に接続された機器や電力線の付近に配置された機器等の他の機器に起因したノイズが電力線に乗る場合があり、このようなノイズに対する対策も必要である。
【０００６】
本発明は、上記事情に鑑みてなされたものであり、他の機器の電源を確保しつつノイズを低減して良好に複数の通信機器によるＰＬＣが可能である電力搬送通信用配線器具を提供することを目的とする。
【課題を解決するための手段】
【０００７】
本発明者は、種々検討した結果、上記目的は、以下の本発明により達成されることを見出した。即ち、本発明の一態様にかかる電力線搬送通信用配線器具は、先端に付設された電源プラグをコンセントに差込接続することで建物に配線された電力線と接続される電源ケーブルと、前記電源ケーブルが内部に引き込まれるハウジングと、前記ハウジング内に収納され、前記電源ケーブルを介して前記電力線に接続される一対の電路と、前記ハウジング内に収納されると共に前記一対の電路に接続されるコモンモードチョークコイルと、前記ハウジング内に収納され、前記一対の電路に前記コモンモードチョークコイルを介して接続される、前記電力線を介して電力線搬送通信の通信信号を変復調する電力線搬送通信用モデムと、前記ハウジング内に収納され、前記電力線搬送通信用モデムと通信機器とのインタフェースを行う通信インタフェースと、前記ハウジングの表面に設けられ、前記通信機器と前記通信インタフェースとを接続する通信ケーブルが挿抜自在に挿着される複数のコネクタと、前記ハウジング内に収納されると共に前記一対の電路に接続され、前記電力線搬送通信の通信帯域を遮断するためのフィルタ回路と、前記ハウジング内に収納されると共に前記一対の電路に前記フィルタ回路を介して接続される、互いに並列に接続された複数対の刃受けとを備え、前記コモンモードチョークコイルは、前記電力線搬送通信用モデムのコモンモードノイズを遮断し、他の機器の電源プラグの栓刃を挿入して前記刃受けに接続するための複数対の栓刃挿入口がハウジングの表面に設けられたことを特徴とする。
【０００８】
この構成によれば、複数対の刃受けを備えるため複数対の刃受けを介して他の機器に給電することができ、複数のコネクタを備えるため複数の通信機器と通信することができ、コモンモードチョークコイルを備えるため電力線搬送通信用モデムで生じたコモンモードノイズが電源ケーブルや電力線へ流出することが抑制されて輻射ノイズが低減され、また、フィルタ回路を備えるため他の機器が一対の刃受けを介して接続された場合に当該他の機器で生じたノイズが当該一対の刃受けを介して電力線搬送用通信モデムへ流入することが抑制される。このため、他の機器の電源を確保しつつノイズを低減して良好に複数の通信機器によるＰＬＣが可能となる。
【０００９】
そして、上述の電力線搬送通信用配線器具において、前記フィルタ回路は、コモンモードノイズ及びノーマルモードノイズを遮断することを特徴とする。
【００１０】
この構成によれば、フィルタ回路がコモンモードノイズ及びノーマルモードノイズを遮断するので、他の機器が一対の刃受けを介して接続された場合に当該他の機器で生じたコモンモードノイズ及びノーマルモードノイズが当該一対の刃受けを介して電力線搬送用通信モデムへ流入することが抑制される。
【００１１】
そして、これら上述の電力線搬送通信用配線器具において、前記電力線搬送通信は、２ＭＨｚ〜３０ＭＨｚの周波数帯の通信信号を用いて通信を行う高速電力線搬送通信であることを特徴とする請求項１又は請求項２に記載の電力線搬送通信用配線器具。
【発明の効果】
【００１２】
本発明の電力線搬送通信用配線器具では、他の機器の電源を確保しつつノイズを低減して良好に複数の通信機器によるＰＬＣが可能となる。
【発明を実施するための最良の形態】
【００１３】
以下、本発明に係る実施形態を図面に基づいて説明する。なお、各図において同一の符号を付した構成は、同一の構成であることを示し、その説明を省略する。
（第１の実施形態）
図１は、第１の実施形態における電力線搬送通信用配線器具の外観構成を示す図である。図１（Ａ）は、上面図を示し、図１（Ｂ）は、正面図を示し、図１（Ｃ）は、下面図を示す。図２は、第１の実施形態における電力線搬送通信用配線器具の回路構成を示す回路ブロック図である。図３は、第１の実施形態における電力線搬送通信用配線器具を施工面に磁着した状態を示す斜視図である。
【００１４】
第１の実施形態の電力線搬送通信用配線器具Ａ１は、図１に示すように先端に付設された電源プラグ４ａをコンセントに差込接続することで建物に配線された電力線と接続される電源ケーブル４と、略箱形に形成され電源ケーブル４が内部に引き込まれるハウジング１とを備える。なお、以下の説明では、図１（Ｂ）を基準として上下左右の向きを規定し、紙面に垂直な方向を前後方向と規定する。
【００１５】
ハウジング１は、扁平な略箱形の合成樹脂成型品からなり、左側面から電源ケーブル４が引き込まれると共に、図１（Ｃ）に示すように、下面には、通信ケーブル（例えばＣＡＴ５のＬＡＮケーブルやＣＡＴ６のＬＡＮケーブル等）の先端に付設されているコネクタ（例えばＲＪ−４５のモジュラプラグ）が挿抜自在に接続される複数（図１に示す例では８個）の受け側コネクタ（上記例ではＲＪ−４５のモジュラジャック）３の差込口３ａが一列に並んで露出している。また、図１（Ａ）に示すように、ハウジング１の上面には、他の機器の電源プラグの栓刃が挿入される複数対（図１に示す例では４対）の栓刃挿入口２ａ、２ａが列設され、ハウジング１内には、栓刃挿入口２ａに挿入された栓刃を受ける複数対（図１に示す例では４対）の刃受け２、２が収納されている。さらに、ハウジング１前面下部には、複数の表示素子（例えば発光ダイオード）ＬＤが露出している。
【００１６】
またハウジング１の背面における左右両端部には、それぞれ永久磁石１４、１４が露設されている。従って、図３に示すようにスチール製のデスクＤの側板等に永久磁石１４、１４を磁着することでハウジング１を施工面（デスクＤの側面）に固定することができる。
【００１７】
図２において、電源ケーブル４を介して電力線に接続される一対の電路に、互いに並列に接続された複数対の刃受け２、２（図２に示す例では４対）が接続されるとともに、結合回路６が接続され、さらに電源部５が接続されている。
【００１８】
結合回路６は、商用電源周波数成分をカットするコンデンサＣ１、Ｃ２及び絶縁トランスＴを備え、絶縁トランスＴの１次側がコンデンサＣ１、Ｃ２を介して上記一対の電路に接続され、絶縁トランスＴの２次側が送受信部７に接続されている。
【００１９】
送受信部７は、絶縁トランスＴの２次側に接続されることで、電力線との間でＰＬＣの通信信号を送受信する回路であり、モデム８と接続されている。送受信部７は、受信回路７ａと送信回路７ｂとを備えて構成され、受信回路７ａは、例えば、絶縁トランスＴの２次側に接続され、ＰＬＣの通信周波数帯域を透過するバンドパスフィルタと、バンドパスフィルタの出力を増幅してモデム８へ出力する増幅器とを備えて構成され、送信回路７ｂは、例えば、モデム８に接続され、ＰＬＣの通信周波数帯域を透過するバンドパスフィルタと、バンドパスフィルタの出力を増幅して絶縁トランスＴの２次側へ出力する増幅器とを備えて構成される。
【００２０】
モデム８は、送受信部７からのＰＬＣの通信信号Ｒｘからデータ信号を復調すると共に送信データをＰＬＣの通信信号Ｔｘに変調する復調する回路であり、制御回路１０に接続されている。
【００２１】
このような結合回路６、送受信部７及びモデム８を少なくとも備えて電力線搬送通信用モデムが構成され、商用周波数の電力波形に商用周波数よりも高い周波数のＰＬＣの通信信号が重畳されて送信されると共に、この電力波形からこの高い周波数のＰＬＣの通信信号が分離されて受信される。
【００２２】
また、ハウジング１には、各モジュラジャック３に接続される通信ケーブルを介して通信機器との間で例えば１００ＢＡＳＥ−ＴＸなどの規格に準拠してデータ伝送を行うためのＬＡＮコントローラ９が収納されており、ＬＡＮコントローラ９は、制御回路１０に接続されている。
【００２３】
制御回路１０は、例えば、マイクロプロセッサ及びその周辺回路を備えて構成され、ＰＬＣを行うために、送受信部７、モデム８及びＬＡＮコントローラ９等を制御する回路である。制御回路１０は、例えばモデム８とＬＡＮコントローラ９との間で授受するデータ（パケット）のフィルタリング等のセキュリティ機能や、データ伝送中であることを知らせるために表示回路１１を制御して表示回路１１が有する複数の表示素子ＬＤを発光させる機能等を有している。
【００２４】
電源部５は、電源プラグ４ａをコンセントに差込接続することで接続される電力線から電源ケーブル４を介して給電される商用交流電源から直流電源を生成し、例えば、送受信部７、モデム８、ＬＡＮコントローラ９、制御回路１０及び表示回路１１等の各回路へ、これら各回路を動作させるために、直流電力を供給する回路である。電源部５は、例えば、ＰＬＣの通信周波数帯域に対して高インピーダンスになるインピーダンスアッパ回路５ａと、ＡＣ−ＤＣコンバータからなる電源回路５ｂとを備えて構成される。
【００２５】
そして、注目すべきは、好適に高速ＰＬＣに対応するために、電源ケーブル４と上記電力線搬送通信用モデム（少なくとも結合回路６、送受信部７及びモデム８を含む。以下同じ）との間にこの電力線搬送通信用モデムのコモンモードノイズを遮断するためのコモンモードチョークコイル１２が介設されていることである。より具体的には、電源ケーブル４と結合回路６との間にコモンモードチョークコイル１２が介設されている。また、注目すべきは、好適に高速ＰＬＣに対応するために、電源ケーブル４と互いに並列に接続された複数対の刃受け２、２との間に、ＰＬＣの通信帯域を遮断するためのフィルタ回路１３が介設されていることである。
【００２６】
これら複数対の刃受け２、２、電源部５、電力線搬送通信用モデム（結合回路６、送受信部７、モデム８）、ＬＡＮコントローラ９、制御回路１０、表示回路１１、コモンモードチョークコイル１２及びフィルタ回路１３は、ハウジング１内に収納されている。
【００２７】
而して、第１の実施形態の電力線搬送通信用配線器具Ａ１は、ＬＡＮコントローラ９に対して並列接続された複数のモジュラジャック３を具備することで集線装置（ハブ）としても機能するため、複数のモジュラジャック３に接続される通信ケーブルを介してコンピュータ等の複数の通信機器によりＰＬＣを行うことができ、しかも、ハウジング１上面に設けられた栓刃挿入口２ａ、２ａにコンピュータ等の機器の電源プラグの栓刃を挿入すれば、ハウジング１内の一対の刃受け２、２並びに電源ケーブル４を介して当該機器に給電することが可能である。また、上記電力線搬送通信用モデムで生じたコモンモードノイズは、コモンモードチョークコイルによって電源ケーブルや電力線へ流出することが抑制されて輻射ノイズが低減される。特に、高速ＰＬＣに対して効果的である。そして、他の機器が一対の刃受け２、２を介して接続された場合に当該他の機器で生じたノイズが当該一対の刃受け２、２を介して上記電力線搬送用通信モデムへ流入することが抑制される。特に、高速ＰＬＣに対して効果的である。このため、本実施形態の電力線搬送通信用配線器具Ａ１は、他の機器の電源を確保しつつノイズを低減して良好に複数の通信機器によるＰＬＣが可能となる。特に、高速ＰＬＣの場合に良好にＰＬＣが可能となる。
【００２８】
次に、別の実施形態について説明する。
（第２の実施形態）
図４は、第２の実施形態における電力線搬送通信用配線器具の外観構成を示す図である。図２（Ａ）は、上面図を示し、図２（Ｂ）は、正面図を示し、図２（Ｃ）は、下面図を示す。図５は、第２の実施形態における電力線搬送通信用配線器具の回路構成を示す回路ブロック図である。
【００２９】
第２の実施形態の電力線通信用配線器具Ａ２の基本構成は、第１の実施形態の電力線通信用配線器具Ａ１とほぼ共通であるから、共通の構成要素には同一の符号を付して説明を省略する。また、施工面（デスクＤの側面）に固定した様子をも示す電力線搬送通信用配線器具Ａ２の斜視図は、図３と略同様であるので、図示を省略する。
【００３０】
第２の実施形態は、上記電力線搬送通信モデムと通信機器とのインタフェースとして、第１の実施形態における１００ＢＡＳＥ−ＴＸの代わりにＵＳＢ（Universal Serial Bus）を用いる点に特徴がある。
【００３１】
図４に示すようにハウジング１の下面（図４（Ｃ）参照）には、モジュラジャック３の差込口３ａの代わりに、通信ケーブル（本実施形態ではＵＳＢケーブル）の先端に付設されているＵＳＢコネクタの差込側（以下、「ＵＳＢプラグ」と呼ぶ。）が挿抜自在に接続される複数（図４に示す例では８個）のＵＳＢコネクタの受け側（以下、「ＵＳＢジャック」と呼ぶ）１５の差込口１５ａが露出している。また、図５に示すようにＵＳＢジャック１５に接続される通信ケーブル（ＵＳＢケーブル）を介して通信機器との間でＵＳＢの規格に準拠してデータ伝送を行うためのＵＳＢコントローラ１６がＬＡＮコントローラ９の代わりに設けてある。
【００３２】
而して、第２の実施形態の電力線搬送通信用配線器具Ａ２は、第１の実施形態の電力線搬送通信用配線器具Ａ１の作用効果に加えて、第２の実施形態の電力線搬送通信用配線器具Ａ２のＵＳＢジャック１５とパーソナルコンピュータのＵＳＢジャックをＵＳＢケーブルで接続すれば、パーソナルコンピュータ同士でＵＳＢケーブルを介してＰＬＣを行うことができる。
【００３３】
次に、別の実施形態について説明する。
（第３の実施形態）
図６は、第３の実施形態における電力線搬送通信用配線器具の外観構成を示す斜視図である。図７は、第３の実施形態における電力線搬送通信用配線器具の回路構成を示す回路ブロック図である。
【００３４】
第３の実施形態の電力線搬送通信用配線器具Ａ３は、第１の実施形態の電力線搬送通信用配線器具Ａ１にテレビコンセントをさらに備えた点に特徴がある。以下、第１の実施形態の電力線搬送通信用配線器具Ａ１と共通の構成要素には同一の符号を付して説明を省略する。
【００３５】
第３の実施形態の電力線搬送通信用配線器具Ａ３は、図６に示すように、略箱形に形成され、電源ケーブル４及び同軸ケーブル２２が内部に引き込まれるハウジング１’を備える。同軸ケーブル２２は、テレビの受信信号を伝送するためのケーブルであり、先端にプラグ（例えばＦ型接栓プラグ）２２ａが付設されている。
【００３６】
ハウジング１’は、扁平な略箱形の合成樹脂成型品からなり、右側面から電源ケーブル４及び同軸ケーブル２２がそれぞれ引き込まれると共に、上面右側には、通信ケーブルの先端に付設されているコネクタが挿抜自在に接続される複数（図６に示す例では３個）の受け側コネクタ３の差込口３ａが一列に並んで露出し、上面左側には、他の機器の電源プラグの栓刃が挿入される複数対（図６に示す例では３対）の栓刃挿入口２ａ、２ａが列設され、上面中央には、他の同軸ケーブルの先端に付設されているプラグ（例えばＦ型接栓プラグ）が挿抜自在に接続される複数（図６に示す例では３個）の受け側コネクタ（例えばＦ型接栓コネクタ）２１の差込口２１ａが一列に並んで露出している。そして、ハウジング１内には、栓刃挿入口２ａ、２ａに挿入された栓刃を受ける複数対（図６に示す例では３対）の刃受け２、２が収納されている。さらに、ハウジング１の上側面（図６には図示されていない）には、表示素子（例えば発光ダイオード）ＬＤが露出している。
【００３７】
図７において、同軸ケーブル２２に接続される一対の電路に並列に複数の受け側コネクタ２１が接続されている。これらプラグ２２ａの付設された同軸ケーブル２２及び複数の受け側コネクタ２１を備えてテレビコンセントが構成される。複数対の刃受け２、２、複数個のモジュラージャック３、電源ケーブル４、電源部５、結合回路６、送受信部７、モデム８、ＬＡＮコントローラ９、表示回路１１、コモンモードチョークコイル１２及びフィルタ回路１３の回路構成は、第１の実施形態と共通であるから詳しい説明は、省略する。
【００３８】
而して、第３の実施形態の電力線搬送通信用配線器具Ａ３は、第１の実施形態の電力線搬送通信用配線器具Ａ１の作用効果に加えて、テレビの受信信号を分配（分岐を含む）することができる。
【００３９】
なお、第３の実施形態において、電力線搬送通信用配線器具Ａ３は、分配した各受信信号をそれぞれ増幅する複数の増幅器をさらに備えてブースタ機能をさらに備えてもよい。
【００４０】
そして、第１乃至第３の実施形態において、電力線搬送通信用配線器具Ａ１〜Ａ３は、電源ケーブル４から上記電力線搬送通信用モデムへの給電をオンオフするための第１スイッチ（不図示）をさらに備えて構成されてもよい。例えば、この第１スイッチは、電源ケーブル４とフィルタ回路１３との間を除いた電源ケーブル４とコモンモードチョークコイル１２との間に設けられる。このように構成されることによって、電力線搬送通信用配線器具Ａ１〜Ａ３は、テーブルタップとしての機能を維持しつつ、上記電力線搬送通信用モデムの使用を予定していない場合にこの第１スイッチをオフ状態とすることで上記電力線搬送通信用モデムの待機電力をゼロにすることができる。
【００４１】
また、第１乃至第３の実施形態において、電力線搬送通信用配線器具Ａ１〜Ａ３は、複数対の刃受け２、２がフィルタ回路１３を介して上記電力線搬送通信用モデムに接続されるかフィルタ回路１３を介せず上記電力線搬送通信用モデムに接続されるかを切り換える第２スイッチ（不図示）をさらに備えて構成されてもよい。例えば、この第２スイッチは、フィルタ回路１３に並列に接続されて設けられ、互いに並列に接続されている複数対の刃受け２、２がフィルタ回路１３を迂回して、コモンモードチョク１２の電源ケーブル４側で、電源ケーブル４を介して電力線に接続される一対の電路に接続される。このように構成されることによって、電力線搬送通信用配線器具Ａ１〜Ａ３は、一対の刃受け２、２に通信機器が接続された場合に、複数対の刃受け２、２がフィルタ回路１３を介せず上記電力線搬送通信用モデムに接続されるように第２スイッチを切り換えることで、当該通信機器とＰＬＣが可能となる。もちろん、このような一対の刃受け２、２に接続される通信機器は、ＰＬＣモデムを備えている。
【００４２】
さらに、第１乃至第３の実施形態において、電力線搬送通信用配線器具Ａ１〜Ａ３は、上記第２スイッチが複数対の刃受け２、２ごとに設けられて構成されてもよい。例えば、これら複数の第２スイッチは、フィルタ回路１３に並列に接続されるように、複数対の刃受け２、２のそれぞれに対応して設けられる。各第２スイッチは、当該第２スイッチに対応する一対の刃受け２、２がフィルタ回路１３を迂回して、コモンモードチョク１２の電源ケーブル４側で、電源ケーブル４を介して電力線に接続される一対の電路に接続されている。このように構成されることによって、電力線搬送通信用配線器具Ａ１〜Ａ３は、一対の刃受け２ごとに当該一対の刃受け２がフィルタ回路１３を介して上記電力線搬送通信用モデムに接続されるかフィルタ回路１３を介せず上記電力線搬送通信用モデムに接続されるかを切り換えることができる。このため、このような構成の電力線搬送通信用配線器具Ａ１〜Ａ３は、一対の刃受け２に通信機器が接続された場合に、当該一対の刃受け２がフィルタ回路１３を介せず上記電力線搬送通信用モデムに接続されるように当該一対の刃受け２に対応する第２スイッチを切り換えることで、当該通信機器とＰＬＣが可能となる。さらに、他の一対の刃受け２に機器が接続された場合に、当該他の一対の刃受け２がフィルタ回路１３を介して上記電力線搬送通信用モデムに接続されるように当該他の一対の刃受け２に対応する第２スイッチを切り換えることで、当該機器で生じたノイズが当該他の一対の刃受け２を介して上記電力線搬送用通信モデムへ流入することが抑制可能となる。
【００４３】
そして、第１乃至第３の実施形態において、フィルタ回路１３は、コモンモードノイズ及びノーマルモードノイズを遮断するように構成されてもよい。例えば、フィルタ回路１３は、コモンモードノイズを遮断するためのコモンモードチョークコイルと、ＰＬＣの周波数帯域を遮断するためのフィルタ回路とが直列に接続されて構成される。このように構成されることによって、電力線通信用配線器具Ａ１〜Ａ３は、フィルタ回路１３がコモンモードノイズ及びノーマルモードノイズを遮断するので、他の機器が一対の刃受け２、２を介して接続された場合に当該他の機器で生じたコモンモードノイズ及びノーマルモードノイズが当該一対の刃受け２、２を介して上記電力線搬送用通信モデムへ流入することが抑制される。
【００４４】
本発明を表現するために、上述において図面を参照しながら実施形態を通して本発明を適切且つ十分に説明したが、当業者であれば上述の実施形態を変更及び/又は改良することは容易に為し得ることであると認識すべきである。従って、当業者が実施する変更形態又は改良形態が、請求の範囲に記載された請求項の権利範囲を離脱するレベルのものでない限り、当該変更形態又は当該改良形態は、当該請求項の権利範囲に包括されると解釈される。
【図面の簡単な説明】
【００４５】
【図１】第１の実施形態における電力線搬送通信用配線器具の外観構成を示す図である。
【図２】第１の実施形態における電力線搬送通信用配線器具の回路構成を示す回路ブロック図である。
【図３】第１の実施形態における電力線搬送通信用配線器具を施工面に磁着した状態を示す斜視図である。
【図４】第２の実施形態における電力線搬送通信用配線器具の外観構成を示す図である。
【図５】第２の実施形態における電力線搬送通信用配線器具の回路構成を示す回路ブロック図である。
【図６】第３の実施形態における電力線搬送通信用配線器具の外観構成を示す斜視図である。
【図７】第３の実施形態における電力線搬送通信用配線器具の回路構成を示す回路ブロック図である。
【符号の説明】
【００４６】
１、１’  ハウジング
２  刃受け
２ａ  栓刃挿入口
３  モジュラジャック
３ａ  差込口
４  電源ケーブル
５  電源部
６  結合回路
７  送受信部
８  モデム
９  ＬＡＮコントローラ
１０  制御回路
２１  受け側コネクタ
２２  同軸ケーブル